(57)【要約】【課題】抽痰管の位置の回転調整が可能な抽痰管回転構造を提供する。【解決手段】主に抽痰管位置の調整に用いる抽痰管回転構造で、該構造は抽痰管弁を主体とし、抽痰管弁内部は連通状態で管弁本体後端には第一接続管を備え、別に第一接続管に対応する前端位置には第二接続管を備え、第二接続管内部には回転管を嵌設する。かつ、該回転管の外周縁には弾性環状突起を環状に設置し、該回転管と該第二接続管内縁には間隙を生じさせ、最後に、第二接続管はスリーブを嵌接し、同時に該スリーブは該回転管の外周縁に嵌設する。回転管と第二接続管の間に形成する間隙により、該回転管と該第二接続管は相対移動作用を生じ、該抽痰管の位置の回転調整の便を図る。【選択図】  図１
0003129946.tif 000002
【実用新案登録請求の範囲】
【請求項１】
主に抽痰管回転構造は抽痰管弁と回転管とスリーブからなり、
前記抽痰管弁本体内部は相互に連通し、該管弁の一端には第一接続管を備え、該第一接続管位置に対応する反対端には第二接続管を備え、該第二接続管と該管弁本体の連接位置には環状逆角部を備え、別に該第二接続管内部中央位置は外へと環形陥没区を延伸し、
前記回転管は該第二接続管内部に嵌設し、しかも該回転管の底端は該倒角位置にちょうど接触固定し、該回転管外周面上には環状突起を環状に設置し、該環状突起は弾性を備え、該第二接続管内部に接触固定し、
前記スリーブは該第二接続管と連接し、しかも該回転管の外周面上に嵌設し、該回転管を該第二接続管内の位置に固定し、
該回転管上に設置する環状突起は該第二接続管内部に密着し、該回転管の外環面と該第二接続管の内部に間隙を生じ、該回転管と該第二接続管内部は相対移動作用を備えることを特徴とする抽痰管回転構造。
【請求項２】
前記環状突起は該陥没区内に接触固定することを特徴とする請求項１記載の抽痰管回転構造。
【請求項３】
前記抽痰管弁上の第一接続管及び第二接続管の左右位置にはそれぞれ対応する管口を設置することを特徴とする請求項１記載の抽痰管回転構造。
【請求項４】
前記抽痰管弁の外観は十字型を呈することを特徴とする請求項１記載の抽痰管回転構造。
【請求項５】
前記第二接続管の管体には注入孔を設置することを特徴とする請求項１記載の抽痰管回転構造。
【考案の詳細な説明】
【技術分野】
【０００１】
本考案は医療過程等で使用する一種の抽痰管に関する。特に一種の回転作用を備える抽痰管回転構造に係る。
【背景技術】
【０００２】
一般の医療過程において、医師は自分で呼吸道内に存在する痰液を排除することができない病人に安全上の問題が発生するのを防ぐため、抽痰器を使用し病人の呼吸道内の痰液を除去し、呼吸道の通りを保持する。
現在使用されている抽痰器は病人に痰液を除去する作用を提供する他に、送酸素管を連接し酸素を病人の呼吸道内に送り込む作用をも備え、これにより病人の持続呼吸を助ける。よって抽痰の機能と呼吸補助の機能を一体に結合させるため、公知の技術中の抽痰器は複数の接続管口を備えた抽痰管弁を設置し、抽痰管及び送酸素管、或いはその他導管を連接する連結中枢とする。
すなわち、公知の抽痰管弁組立て構造では、該抽痰管弁の接続口と人体呼吸道内に挿入する導管等のその他導管を相互に連接し連通作用を形成し、抽痰或いは送酸素作用を形成し、自身で痰を除去することができない病人の呼吸道の通りを確保する。
しかし、該抽痰管の位置を調整する、或いは病室内の送酸素管の位置に対応する、さらには病人の不快な感覚に応じて該抽痰管を再調整する必要に対応するための唯一の方法は通常は先ず該抽痰管弁と連接する各種導管を抜き、次に該管弁の位置を調整し、最後に様々な導管を再度接続するものである。
この種の調整方式は時間と労力を費やし、しかも病人に危険を及ぼす不必要な動作を行わなければならない。
【特許文献１】特開２００２−１７７３７８号公報
【考案の開示】
【考案が解決しようとする課題】
【０００３】
従来の公知構造には以下の欠点があった。
すなわち、公知の抽痰管弁組立て構造では、抽痰管の位置調整、或いは病室内の送酸素管位置への対応、さらには病人の不快感を排除するための抽痰管の再調整時に行うことができる唯一の方法は抽痰管弁と連接する各種導管を抜き管弁の位置を調整し、導管を再度接続するものであるが、この種の調整方式は時間と労力を費やし、しかも病人に危険を及ぼす不必要な動作を伴う。
本考案は、従来の公知構造の問題点に鑑みてなされたもので、抽痰管の調整が簡単で時間や労力を費やさず、病人に不必要な動作をすることのない抽痰管濾過構造を提供するものである。
【課題を解決するための手段】
【０００４】
上記課題を解決するため、本考案は下記の抽痰管回転構造を提供する。
それは主に抽痰管の位置調整機能を備えた抽痰管回転構造を提供し、接続管口内部に回転管を設置し、外部導管と連結を形成することにより、該回転管は外周面に設置する環状突起を通して接続管口内縁環面に接触固定し、該回転管と該接続管口内縁環面は相対移動の作用を備え、これにより使用者は簡単に該抽痰管の位置を回転させることができる。
すなわち、それは、抽痰管回転構造を提供し、該構造は抽痰管弁を主体とし、該抽痰管弁内部は連通状態で、該管弁本体後端には第一接続管を備え、別に該第一接続管に対応する前端位置には第二接続管を備え、該第二接続管内部には回転管を嵌設し、しかも該回転管の外周縁には環状突起を設置し、該回転管と該第二接続管内縁には間隙を生じ、最後に、該第二接続管はスリーブを嵌接し、該スリーブは該回転管の外周縁に嵌設し、該回転管と該第二接続管間が形成する間隙により、該回転管と該第二接続管は相対移動作用を生じ、該抽痰管の位置の回転調整の便を図る抽痰管回転構造を提供する。
【０００５】
ここで、請求項１の考案は、主に抽痰管回転構造は抽痰管弁と回転管とスリーブからなり、前記抽痰管弁本体内部は相互に連通し、該管弁の一端には第一接続管を備え、該第一接続管位置に対応する反対端には第二接続管を備え、該第二接続管と該管弁本体の連接位置には環状逆角部を備え、別に該第二接続管内部中央位置は外へと環形陥没区を延伸し、前記回転管は該第二接続管内部に嵌設し、しかも該回転管の底端は該倒角位置にちょうど接触固定し、該回転管外周面上には環状突起を環状に設置し、該環状突起は弾性を備え、該第二接続管内部に接触固定し、前記スリーブは該第二接続管と連接し、しかも該回転管の外周面上に嵌設し、該回転管を該第二接続管内の位置に固定し、該回転管上に設置する環状突起は該第二接続管内部に密着し、該回転管の外環面と該第二接続管の内部に間隙を生じ、該回転管と該第二接続管内部は相対移動作用を備えることを特徴とする抽痰管回転構造である。
【０００６】
請求項２の考案は、前記環状突起は該陥没区内に接触固定することを特徴とする請求項１記載の抽痰管回転構造である。
請求項３の考案は、前記抽痰管弁上の第一接続管及び第二接続管の左右位置にはそれぞれ対応する管口を設置することを特徴とする請求項１記載の抽痰管回転構造である。
請求項４の考案は、前記抽痰管弁の外観は十字型を呈することを特徴とする請求項１記載の抽痰管回転構造である。
請求項５の考案は、前記第二接続管の管体には注入孔を設置することを特徴とする請求項１記載の抽痰管回転構造である。
【考案の効果】
【０００７】
本考案の抽痰管回転構造によれば、接続管口内部に回転管を設置し、外部導管と連結を形成することにより、該回転管は外周面に設置する環状突起を通して接続管口内縁環面に接触固定し、該回転管と該接続管口内縁環面は相対移動の作用を備え、これにより使用者は簡単に該抽痰管の位置を回転させることができ、抽痰管の調整が簡単で時間や労力を費やさず、病人に不必要な動作させることがない。
【考案を実施するための最良の形態】
【０００８】
本考案の好適な抽痰管回転構造の実施例を図面に沿って説明する。本考案の実施例の立体構造分解図、断面図及び組合せ完成図である図１、２、３に示すように、本考案の抽痰管構造は抽痰管弁1を主体とし、該管弁1主体の外観は十字型を呈し、しかも該抽痰管弁1内部は相互に連通する。
該抽痰管弁1の左右両側にはそれぞれ相互に対称な円形管口11を設置し、該抽痰管弁1の後端には第一接続管12を設置する。該第一接続管12に対応する前端位置には第二接続管13を備え、しかも該第二接続管13の管口直径は該抽痰管弁1の本体より大きい。該第二接続管13の内縁底部と該管弁1本体の連結位置には環状逆角部131を備える（図２参照）。しかも該第二接続管13の内縁のやや中央位置は外へと陥没区132を延伸する。
該第二接続管13は円形回転管2を連接し、該回転管2の外周縁上には外へと突出する環状突起21を設置し、該環状突起21は弾性を備える。これにより、該回転管2が該第二接続管13に設置される時、該回転管2底端の管口周縁は該第二接続管13内部の倒角131位置にちょうど接触固定する。同時に該回転管2外周縁の環状突起21もまた該第二接続管13内部の陥没区132内にちょうど設置される。
次に図２に示すように、該回転管2の外表面と該第二接続管13の内縁は実質的な微小間隙を生じ、最後に、該第二接続管13はさらに中空スリーブ3を連接し、該回転管2の外周面に嵌設する。しかも該スリーブ3の周囲壁は該陥没区132と該回転管2が形成する間隙内に収容され、こうして該回転管2の位置を固定し外へと滑り出ないようにする。
組合せ完成図である図３に示すように、該第二接続管13の管体上には注入孔14を設置し、薬物注入の便を図る。
【０００９】
本考案の実施例の立体組立て接続図、組立て接続断面図及び操作指示図である図４に示すように、本考案の抽痰管弁1は該第一接続管12と導管40を利用し組立て接続する。
該第二接続管13は病人の身体上（図示なし）の接続管50と連接し、しかも該接続管50は該第二接続管13内部に設置する回転管2内に嵌設する。図５の断面図に示すように、該回転管2は該第二接続管13内部に設置し、スリーブ3は該回転管2の位置を固定し外へと滑り出ないようにするため、該回転管2外周縁に設置する環状突起21は該陥没区132内に接触固定し、こうして該回転管2と該第二接続管13内縁には実質的な間隙を生じ、該抽痰管弁1本体と該回転管2間には相対移動作用を備える。
これにより該回転管2と該接続管50連接の後、該抽痰管の接続管位置を調整しようとするなら、該抽痰管弁1を直接回転させ、該抽痰管弁1は該接続管50と連接する回転管2と相対移動を生じ方向転換作用を備える（図６中の矢印参照）。こうして公知構造では該接続管50を抜き取り、初めて該抽痰管弁の位置を調整可能であった欠点を改善し、異なる調整の必要に応じて左へ或いは右へ回転させ、該抽痰管使用時の利便性を向上させることができる。
【００１０】
このように回転管と第二接続管間が形成される間隙により、回転管と第二接続管は相対移動作用を生じ、使用者は簡単に抽痰管を回転させることができ、抽痰管の調整が簡単で時間や労力を費やさず、病人に不必要な動作をさせることがない。
なお、本考案の特徴を損なうものでなければ、上記実施例に限定されるものでないことは勿論である。
【図面の簡単な説明】
【００１１】
【図１】本考案の実施例の体構造分解図である。
【図２】本考案の実施例の造断面図である。
【図３】本考案の実施例の組合せ完成図である。
【図４】本考案の実施例の立体組立て接続図である。
【図５】本考案の実施例の組立て接続断面図である。
【図６】本考案の実施例の操作指示図である。
【符号の説明】
【００１２】
1  抽痰管弁
11  管口
12  第一接続管
13  第二接続管
131  環状逆角部
132  陥没区
14  注入孔
2  回転管
21  環状突起
3  スリーブ
40  導管
50  接続管
【図１】
0003129946.tif 000003
【図２】
0003129946.tif 000004
【図３】
0003129946.tif 000005
【図４】
0003129946.tif 000006
【図５】
0003129946.tif 000007
【図６】
0003129946.tif 000008